(57)【要約】【課題】  感光ドラム及び現像器の温度制御を行うにあたり、エネルギー効率の良い温度制御を実現すること。【解決手段】  感光ドラム３０９を加熱するヒータ４１１と、ヒータ４１１を駆動するヒータ駆動回路４１２と、現像器３１４を冷却するペルチェ素子４１４と、ペルチェ素子４１４を駆動するペルチェ駆動回路４０５とを設ける。そして、ヒータ駆動回路４１２によるヒータ４１１の駆動と、ペルチェ駆動回路４０５によるペルチェ素子４１４の駆動とは、排他的に実行される。【選択図】  図４
2010096910.tif 000002
【特許請求の範囲】
【請求項１】
表面に静電潜像が形成される像担持体と、
前記像担持体を加熱する加熱手段と、
前記加熱手段を駆動する第１の駆動手段と、
前記像担持体の表面に静電潜像を現像する現像手段と、
前記現像手段を冷却する冷却手段と、
前記冷却手段を駆動する第２の駆動手段と、
前記第１の駆動手段による前記加熱手段の駆動と、前記第２の駆動手段による前記冷却手段の駆動とを排他的に実行する制御手段と、
を有することを特徴とする画像形成装置。
【請求項２】
前記第２の駆動手段は、前記第１の駆動手段が前記加熱手段を駆動している間は、前記冷却手段を駆動しないことを特徴とする請求項１記載の画像形成装置。
【請求項３】
前記像担持体の温度を検知する温度検知手段と、
前記温度検知手段の出力信号と所定の基準温度信号とを比較し、比較結果を出力する比較手段と、を更に有し、
前記第１の駆動手段は、前記比較手段からの出力信号に応じて前記加熱手段を駆動することを特徴とする請求項１記載の画像形成装置。
【請求項４】
前記比較手段からの出力信号を反転して出力する反転手段を更に有し、
前記第２の駆動手段は、前記反転手段からの出力信号に応じて前記冷却手段を駆動することを特徴とする請求項３記載の画像形成装置。
【請求項５】
前記像担持体の温度を検知する温度検知手段と、
前記温度検知手段の出力信号と所定の基準温度信号とを比較し、比較結果を出力する比較手段と、
クロックを発生させるクロック発生手段と、
前記第１の駆動手段は、前記比較手段からの出力信号と前記クロック発生手段の出力信号との論理積に応じて前記加熱手段を駆動することを特徴とする請求項１記載の画像形成装置。
【請求項６】
前記現像手段の温度を検知する第２の温度検知手段と、
前記第２の温度検知手段の出力信号と所定の第２の基準温度信号とを比較し、比較結果を出力する第２の比較手段と、
前記クロック発生手段からの出力信号を反転して出力する反転手段と、を更に有し、
前記第２の駆動手段は、前記第２の比較手段からの出力信号と前記反転手段からの出力信号との論理積に応じて前記冷却手段を駆動することを特徴とする請求項５記載の画像形成装置。
【請求項７】
前記画像形成装置の状態に応じて、前記クロック発生手段から発生されるクロックのデューティを変更することを特徴とする請求項５記載の画像形成装置。
【請求項８】
画像形成動作の終了後、所定時間が経過するまで前記冷却手段を駆動し、その後、前記冷却手段の駆動を停止することを特徴とする請求項１記載の画像形成装置。
【発明の詳細な説明】
【技術分野】
【０００１】
本発明は、複写機、プリンタ、ファクシミリ等の画像形成装置における、感光ドラムや現像器の温度調整（温調）制御に関する。
【背景技術】
【０００２】
従来の画像形成装置においては、低温高湿環境に電源オフの状態で一晩以上放置された場合、画像形成装置内部の部品は冷え切っているため、電源オンにした直後は感光ドラムに結露が発生することがあった。この結果、静電潜像が正しく形成されず、最終的に得られる画像がぼやけてしまう「画像流れ」という現象が生じていた。
【０００３】
この「画像流れ」の発生を防止するため、感光ドラムに加熱部材を設け、感光ドラムに結露が発生するのを防止する画像形成装置が提案されている（例えば、特許文献１参照。）。
【０００４】
また、最近の画像形成装置の小型化・高速化により、現像スリーブ径の小径化、感光ドラムの回転スピードの高速化が原因で、感光ドラムに隣接して配置される現像器内部が昇温してしまうという問題がある。
【０００５】
感光ドラムが高速で回転すると、その回転スピードに比例して、現像スリーブの回転スピードも上昇し、現像スリーブの軸受け部に摩擦熱が発生する。また、現像スリーブの回転スピードが上昇することにより、現像器内の現像剤同士の摩擦が激しくなり、多くの摩擦熱を発生させてしまう。ここで発生した摩擦熱により現像器内部の温度が上昇し、現像器内のトナーが軟化し、凝集・固化することにより画質に影響を与えるという問題がある。
【０００６】
そこで、現像器内のトナーの軟化を防止するために、現像器を冷却するためのファンを設けた画像形成装置が提案されている（例えば、特許文献２参照。）。
【特許文献１】特開昭６０−１１７２７８号公報
【特許文献２】特開２００２−２７８２１１号公報
【発明の開示】
【発明が解決しようとする課題】
【０００７】
このように、画質の劣化を防止するためには、一方では感光ドラムの結露防止のためにヒータ等で加熱動作を行い、他方では現像器内のトナーの軟化を防止するために冷却動作を行わなければならないことになる。
【０００８】
この目的の異なる温度制御を同時に行うと、一方では加熱し、他方では冷却するといったエネルギーの損失の問題が発生する。
【０００９】
そこで、本発明は、感光ドラム及び現像器の温度制御を行うにあたり、エネルギー効率の良い温度制御を実現できる画像形成装置を提案することを目的とする。
【課題を解決するための手段】
【００１０】
上記目的を達成するため、本発明に係る画像形成装置は、表面に静電潜像が形成される像担持体と、前記像担持体を加熱する加熱手段と、前記加熱手段を駆動する第１の駆動手段と、前記像担持体の表面に静電潜像を現像する現像手段と、前記現像手段を冷却する冷却手段と、前記冷却手段を駆動する第２の駆動手段と、前記第１の駆動手段による前記加熱手段の駆動と、前記第２の駆動手段による前記冷却手段の駆動とを排他的に実行する制御手段と、を有することを特徴とする。
【発明の効果】
【００１１】
本発明に係る画像形成装置によれば、感光ドラム及び現像器の温度制御を行うにあたり、エネルギー効率の良い温度制御を実現することができる。
【発明を実施するための最良の形態】
【００１２】
以下に図面を参照して本発明の実施形態を説明する。
【００１３】
［第１の実施形態］
図１は、画像形成装置１００の断面図である。
【００１４】
画像形成装置１００は、大きく分けて、原稿自動送り装置２０１、読取装置２０２、及び画像記録装置３０１から構成される。
【００１５】
原稿自動送り装置２０１の原稿載置部２０３に置かれた原稿は、給紙ローラ２０４によって分離、給紙され、搬送ガイド２０６を経由して、読取装置２０２による読取位置に搬送される。そして、読取位置を通過した原稿は搬送ベルト２０８によって一定速度で搬送され、排紙ローラ２０５によって機外に排出される。
【００１６】
原稿が読取位置を通過している際、ランプ２０９により原稿に光が照射され、原稿から反射した光は反射ミラー２１０、２１１及び２１２からなる光学系によって画像読取ユニット２１３に導かれ、画像信号に変換される。画像読取ユニット２１３はレンズ、光電変換素子であるＣＣＤと、ＣＣＤの駆動回路等からなる。
【００１７】
画像読取ユニット２１３により得られた画像信号は、後述する画像処理部１０２で所定の処理がなされた後、ページ単位で画像記録装置３０１により記録紙に再生される。
【００１８】
画像信号は半導体レーザーによって光信号に変調される。変調されたレーザー光は、ポリゴンミラーを有する光走査装置３１１、ミラー３１２、３１３を経由して、一次帯電器３１０によって表面を一様に帯電された感光ドラム３０９（像担持体）上に露光され、静電潜像が形成される。
【００１９】
静電潜像は現像器３１４のトナーによって現像され、転写帯電器３１５によってトナー像が記録紙に転写される。記録紙はカセット３０２及び３０４に収納されている。
【００２０】
なお、本実施形態においては、カセット３０２には標準紙が、カセット３０４にはタブ紙が収納されている。カセット３０２内の記録紙（本実施形態では標準紙）は、給紙ローラ３０３によって給紙され、搬送ローラ３０６によって搬送され、レジストローラ３０８によって画像とのタイミングを調整されて、感光ドラム３０９の転写位置に搬送される。
【００２１】
一方、カセット３０４内の記録紙（本実施形態ではタブ紙）は、給紙ローラ３０５によって給紙され、搬送ローラ３０７によって搬送された後に、搬送ローラ３０６によって搬送される。そして、搬送ローラ３０６により搬送された記録紙は、レジストローラ３０８によって画像とのタイミングを調整されて、感光ドラム３０９の転写位置に搬送される。
【００２２】
転写帯電器３１５により感光ドラム３０９からトナー像が転写された記録紙は、搬送ベルト３１７で定着器３１８に搬送され記録紙上のトナーが定着される。感光ドラム３０９上の転写残トナーは、クリーニング装置３１６により清掃される。
【００２３】
片面モードが設定されている時は、定着器３１８からの記録紙は定着排紙ローラ３１９および排紙ローラ３２４によって機外に排紙される。
【００２４】
両面モードが設定されている場合は、定着器３１８からの記録紙は定着排紙ローラ３１９から搬送ローラ３２０を経由して反転ローラ３２１によって反転パス３２５へ搬送される。さらに、記録紙の後端が反転パス３２５と両面パス３２６との合流ポイントを通過した直後に反転ローラ３２１が逆回転することで、表裏が反転した状態で記録紙が両面パス３２６へと搬送される。
【００２５】
両面パス３２６に搬送された記録紙は、搬送ローラ３２２及び３２３によって搬送され、再び搬送ローラ３０６を経由してレジストローラ３０８で裏面画像とのタイミング調整された後、転写、定着され機外に排出される。
【００２６】
また、記録紙の表裏を反転して機外に排紙する場合には、記録紙を一旦搬送ローラ３２０へ搬送し、記録紙の後端が搬送ローラ３２０を通過する直前に搬送ローラ３２０を逆回転して、排紙ローラ３２４によって記録紙を機外に排紙する。
【００２７】
図２は、画像処理部１０２を中心とした画像形成装置１００のブロック図である。
【００２８】
画像読取ユニット２１３で読み取られた画像データは、画像処理部１０２に入力され、画像処理回路４０２で所定の画像処理が行われた後，メモリ制御回路に入力される。メモリ制御回路４０３は、ＣＰＵ４０１の制御により、入力された画像データをメモリ４０４に格納するとともに、メモリ４０４から画像形成する画像データを読み出して画像書込部１０３に出力する。
【００２９】
ＣＰＵ４０１は、メモリ制御回路４０３を制御して、入力画像データのメモリ４０４への格納と、メモリ４０４に格納された画像データを光走査装置３１１に出力する制御を行う。また、ＣＰＵ４０１は、メモリ４０４に格納された画像データを読み出して、１ページの画像データ内で、実際に画像形成される画像データが存在する画像領域を検出し、複写制御部１０５に通知する。
【００３０】
図３は、複写制御部１０５を中心とした画像形成装置１００のブロック図である。
【００３１】
複写制御部１０５は、画像処理部１０２から受け取った画像データに基づいて、記録紙に画像を形成するための制御を行う。複写制御部１０５は、システムコントローラ１５１を有している。システムコントローラ１５１は、主に画像形成装置１００内の各負荷の駆動、センサ類の情報収集解析、画像処理部１０２や操作部６００とのデータの交換等の役割を担っている。
【００３２】
システムコントローラ１５１には、上述した役割を担うためにＣＰＵ１５１ａが搭載されている。ＣＰＵ１５１ａは、同様にシステムコントローラ１５１に搭載されたＲＯＭ１５１ｂに格納されたプログラムによって、予め決められた画像形成シーケンスを実行する。
【００３３】
また、システムコントローラ１５１には、一次的に又は恒久的に保存することが必要なデータを格納するために、ＲＡＭ１５１ｃも搭載されている。ＲＡＭ１５１ｃには、例えば、後述する高圧制御部１５５への高圧設定値、後述する各種データ、操作部６００からの画像形成指令情報等が保存される。
【００３４】
システムコントローラ１５１は、画像処理部１０２に必要な各部の仕様設定値データを送出する。また、システムコントローラ１５１は、各部からの信号、例えば原稿画像濃度信号等を受信して、画像処理部１０２や高圧制御部１５５を制御して最適な画像形成を行うための設定を行う。
【００３５】
操作部６００は、ユーザが画像形成装置１００に対して複写倍率や濃度設定値等の情報を入力するためのキーを有している。また、操作部６００は、画像形成装置１００の状態、例えば画像形成枚数や画像形成中か否かの情報、ジャムの発生やその箇所等をユーザに示すための表示部を備える。
【００３６】
画像形成装置１００には、装置内の各モータの駆動を制御するモータ制御部１５７、クラッチ／ソレノイド等のＤＣ負荷を制御するＤＣ負荷制御部１５８、及びフォトインタラプタやマイクロスイッチ等のセンサ類１５９が配置されている。
【００３７】
モータ制御部１５７が装置内の各モータを駆動し、ＤＣ負荷制御部１５８が各ＤＣ負荷を適宜駆動させることで、記録紙の搬送や各ユニットの駆動を行っており、その動作を監視しているのがセンサ類１５９である。
【００３８】
システムコントローラ１５１は、各種センサ類１５９からの信号をもとに、モータ制御部１５７により各モータを制御させるとともに、ＤＣ負荷制御部１５８により、クラッチ／ソレノイドを動作させて画像形成動作を円滑に進めている。
【００３９】
また、システムコントローラ１５１は、高圧制御部１５５に各種高圧制御信号を送出することで、高圧ユニット１５６に適切な高圧を印加させている。ここで、高圧ユニット１５６は、一次帯電器３１０、転写帯電器３１５、現像器３１４の現像シリンダ等から構成される。
【００４０】
更に、前述した定着器３１８には、定着ローラを加熱するためのヒータ４１１が設けられており、このヒータ４１１はヒータ駆動回路４１２によってＯＮ／ＯＦＦ制御されている。また、詳細は後述するが、現像器３１４を冷却するためのペルチェ素子４１４が設けられており、このペルチェ素子４１４はペルチェ駆動回路４０５によってＯＮ／ＯＦＦ制御されている。ペルチェ素子４１４は、２種類の金属の接合部に電流を流すと、片方の金属からもう片方へ熱が移動するというペルチェ効果を利用した素子である。
【００４１】
図４は、第１の実施形態における画像形成装置１００の制御ブロック図である。
【００４２】
感光ドラム３０９の内部には、感光ドラム３０９を加熱するためのヒータ４１１が配置されている。このヒータ４１１は、第１の駆動手段としてのヒータ駆動回路４１２によって駆動される。温度検知手段としての温度センサ４１３は、感光ドラム３０９の温度を検知するためのセンサであり、感光ドラム３０９の表面に配置しても、感光ドラム３０９の内部に配置しても構わない。
【００４３】
比較器４０６は、温度センサ４１３の出力と、感光ドラム３０９の温調温度を示す基準温度信号４０７とを比較し、基準温度より感光ドラム３０９の温度が高いか低いかで、比較結果としての出力信号を切り換える。
【００４４】
すなわち、比較器４０６は、基準温度より感光ドラム３０９の温度が低ければヒータ４１１を駆動する信号を出力し、反対に基準温度より感光ドラム３０９の温度が高ければ、ヒータ４１１の駆動を停止する信号を出力する。この比較器４０６の出力は、ヒータ駆動回路４１２に入力され、感光ドラム３０９が基準温度になるように温調制御する。
【００４５】
また、比較器４０６の出力信号は、ＮＯＴ回路４０８によって反転され、第２の駆動手段としてのペルチェ駆動回路４０５に入力される。ペルチェ駆動回路４０５は、この入力された信号に基づいてペルチェ素子４１４を駆動し、現像器３１４を冷却する。
【００４６】
図５は、第１の実施形態における各制御ブロックの出力を示す図である。
【００４７】
感光ドラム３０９の温度を示すドラム温度５０１（温度センサ４１３の出力値）は、上に近づくほど温度が高く、下に近づくほど温度が低くしてある。ドラム温度５０１の横線（点線）は、基準温度信号４０７により示される基準温度である。
【００４８】
比較器４０６の出力である比較器出力５０２は、ドラム温度５０１が基準温度より低い場合は“Ｈ”を出力し、ドラム温度５０１が基準温度より高い場合は“Ｌ”を出力する。
【００４９】
図５では、５１０〜５１１、５１２〜５１３、５１４〜５１５の期間においてドラム温度５０１が基準温度を下回っているので、その間の比較器出力５０２は“Ｈ”となる。その結果、比較器４０６の出力がヒータ駆動回路４１２に入力され、ヒータ４１１が駆動される。なお、ヒータ動作５０５はヒータ４１１の動作を示し、斜線の部分がヒータ４１１をオンする時間帯となっている。
【００５０】
ヒータ駆動回路４１２への入力信号５０３は、比較器出力５０２と同様の波形となるが、ペルチェ駆動回路４０５への入力信号５０４は、ＮＯＴ回路４０８で比較器出力５０２を反転させている。このため、ヒータ駆動回路４１２への入力信号５０３とペルチェ駆動回路４０５への入力信号５０４は、上下対象な波形となる。なお、ペルチェ動作５０６はペルチェ素子４１４の動作を示し、斜線の部分がペルチェ素子４１４を動作させる時間帯となっている。
【００５１】
このように、ヒータ駆動回路４１２によるヒータ４１１の駆動と、ペルチェ駆動回路４０５によるペルチェ素子４１４の駆動とは、排他的に実行されることになる。
【００５２】
なお、以上の説明では、ヒータ駆動回路４１２、ペルチェ駆動回路４０５ともに“Ｈ”アクティブ（“Ｈ”の時に駆動する回路）で説明したが、一方のみ“Ｌ”アクティブであれば、ＮＯＴ回路４０８を不要とすることもできる。
【００５３】
また、より省電力化を図るべく、ペルチェ素子４１４側にも温度センサを配置し、この温度センサの出力信号に基づきペルチェ駆動回路４０５がペルチェ素子４１４を駆動してもよい。例えば、ヒータ駆動回路４１２がヒータ４１１をオンさせない場合であって、かつ、ペルチェ素子４１４側の温度センサが基準温度を超える場合に、ペルチェ駆動回路４０５がペルチェ素子４１４を駆動するように構成してもよい。
【００５４】
以上で説明したように、本実施形態によれば、簡易な回路構成で、ヒータ４１１とペルチェ素子４１４の同時オンを防止し、同時オンによるエネルギーロスや、応答時間の悪化を防ぐことが可能となる。
【００５５】
［第２の実施形態］
図６は、第２の実施形態における画像形成装置１００の制御ブロック図である。
【００５６】
感光ドラム３０９の内部には、感光ドラム３０９を加熱するためのヒータ６０１が配置されている。このヒータ６０１は、第１の駆動手段としてのヒータ駆動回路６０２によって駆動される。
【００５７】
温度検知手段としての温度センサ６０３は、感光ドラム３０９の温度を検知するためのセンサであり、感光ドラム３０９の表面に配置しても、感光ドラム３０９の内部に配置しても構わない。
【００５８】
比較手段としての比較器６０６は、温度センサ６０３の出力と、感光ドラム３０９の温調温度を示す第１の基準温度信号６０７とを比較し、基準温度より感光ドラム３０９の温度が高いか低いかで、比較結果としての出力信号を切り換える。
【００５９】
すなわち、比較器６０６は、基準温度より感光ドラム３０９の温度が低ければヒータ６０１を駆動する信号を出力し、反対に基準温度より感光ドラム３０９の温度が高ければ、ヒータ６０１を停止するような駆動信号を出力する。この比較器６０６の出力は、ヒータ駆動回路６０２に入力され、感光ドラム３０９が基準温度になるように温調制御する。
【００６０】
ペルチェ素子６０４は、現像器３１４を冷却するための素子であり、第２の駆動手段としてのペルチェ駆動回路６１５によって駆動される。第２の温度検知手段としての温度センサ６０９は、現像器３１４の温度をモニタするためのセンサである。
【００６１】
第２の比較手段としての比較器６１３は、温度センサ６０９の出力と、現像器３１４の温調温度を示す第２の基準温度信号６１４とを比較し、基準温度より現像器３１４の温度が高いか低いかで、比較結果としての出力信号を切り換える。
【００６２】
すなわち、比較器６１３は、基準温度より現像器３１４の温度が高ければペルチェ素子６０４を駆動する信号を出力し、反対に基準温度より現像器３１４の温度が低ければ、ペルチェ素子６０４の駆動を停止する信号を出力する。この比較器６１３の出力は、ペルチェ駆動回路６１５に入力され、現像器３１４が基準温度になるように温調制御する。
【００６３】
クロック発生回路６１１は、クロック制御回路６１２からの制御信号にしたがって、クロック信号を出力する。クロック発生回路６１１の出力信号と、比較器６０６からの出力信号は、ＡＮＤ回路６１０に入力される。ＡＮＤ回路６１０は、入力される２つの信号の論理積をとる。そして、ＡＮＤ回路６１０の出力はヒータ駆動回路６０２に入力される。
【００６４】
一方、クロック発生回路６１１からの出力信号は、ＮＯＴ回路６０８によって反転され、比較器６１３からの出力信号とともにＡＮＤ回路６０５に入力される。ＡＮＤ回路６０５は、入力される２つの信号の論理積をとる。ペルチェ駆動回路６１５は、ＡＮＤ回路６０５からの出力信号に基づいてペルチェ素子６０４を駆動する。
【００６５】
図７は、第２の実施形態における各制御ブロックの出力を示す図である。
【００６６】
感光ドラム３０９の温度を示すドラム温度７０１（温度センサ６０３の出力値）は、７１１〜７１２の間は基準温度（点線）より温度が低いので、比較器６０６の出力である比較器出力７０２は、その７１１〜７１２の間“Ｈ”を出力する。交互に、７１２〜７１３の間は“Ｌ”を、７１３〜７１４の間は“Ｈ”を・・・というように“Ｈ”と“Ｌ”を繰り返す。
【００６７】
第２の実施形態と第１の実施形態との違いは、クロック発生回路６１１の出力信号（クロック発生回路出力７０３）を使用するところにある。
【００６８】
ＡＮＤ回路６１０は、入力された２つの信号が“Ｈ”の時のみ“Ｈ”を出力することから、ヒータ駆動回路６０２への入力信号７０４は図に示されるようになる。
【００６９】
一方、現像器３１４の温度を示す現像器温度７０５（温度センサ６０９の出力値）は、７２０〜７２１の間、及び７２２〜７１７の間において基準温度（点線）より高い。このため、比較器６１３の出力である比較器出力７０６は、７２０〜７２１の間、７２２〜７１７の間に“Ｈ”となるよう信号を出力する。
【００７０】
ＡＮＤ回路６０５には、ＮＯＴ回路６０８からの出力信号（クロック発生回路反転出力７０７）と、比較器６１３からの出力信号（比較器出力７０６）が入力される。ＡＮＤ回路６０５は、入力された２つの信号が“Ｈ”の時のみ“Ｈ”を出力するので、ペルチェ駆動回路６１５への入力信号７０８は図に示されるようになる。
【００７１】
なお、ヒータ動作７０９はヒータ６０１の動作を示し、斜線の部分がヒータ６０１をオンする時間帯となっている。また、ペルチェ動作７１０はペルチェ素子６０４の動作を示し、斜線の部分がペルチェ素子６０４を動作させる時間帯となっている。
【００７２】
第２の実施形態では、クロック発生回路６１１の出力は５０％のデューティとして説明したが、画像形成装置１００の状態に応じて、クロックのデューティを変更してもよい。例えば、感光ドラム３０９の温度を急遽上昇させたい場合や、現像器３１４を急遽冷却したい場合等に、クロックのデューティを変更することによって、感光ドラム３０９の加熱及び現像器３１４の冷却の比率を変更することが可能である。
【００７３】
以上で説明したように、本実施形態によれば、簡易な回路構成で、ヒータ６０１とペルチェ素子６０４の同時オンを防止し、同時オンによるエネルギーロスや、応答時間の悪化を防ぐことが可能となる。また、ヒータ６０１やペルチェ素子６０４を駆動している時間を短くできるため、第１の実施形態よりもさらに省電力化を図ることができる。
【００７４】
なお、現像器３１４の発熱は、感光ドラム３０９が回転することによって発生する、現像器３１４内の現像剤の摩擦、及び現像スリーブの回転することによって軸受け部に生じる摩擦熱によって発熱される。したがって、スタンバイ時や、スリープ時等において、ペルチェ素子による冷却を強制的にオフする機能を持たせる回路構成にしても構わない。また、画像形成動作の終了後、所定時間が経過するまでペルチェ素子を駆動し、その後はペルチェ素子による冷却を強制的にオフする回路構成にしても構わない。
【図面の簡単な説明】
【００７５】
【図１】画像形成装置１００の断面図である。
【図２】画像処理部１０２を中心とした画像形成装置１００のブロック図である。
【図３】複写制御部１０５を中心とした画像形成装置１００のブロック図である。
【図４】第１の実施形態における画像形成装置１００の制御ブロック図である。
【図５】第１の実施形態における各制御ブロックの出力を示す図である。
【図６】第２の実施形態における画像形成装置１００の制御ブロック図である。
【図７】第２の実施形態における各制御ブロックの出力を示す図である。
【符号の説明】
【００７６】
１００  画像形成装置
３０９  感光ドラム
３１４  現像器
４０５  ペルチェ駆動回路
４０６  比較器
４０７  基準温度信号
４０８  ＮＯＴ回路
４１１  ヒータ
４１２  ヒータ駆動回路
４１３  温度センサ
４１４  ペルチェ素子
６０２  ヒータ駆動回路
６０３  温度センサ
６０４  ペルチェ素子
６０５  ＡＮＤ回路
６０６  比較器
６０７  基準温度信号
６０８  ＮＯＴ回路
６０９  温度センサ
６１０  ＡＮＤ回路
６１１  クロック発生回路
６１２  クロック制御回路
６１３  比較器
６１４  基準温度信号
６１５  ペルチェ駆動回路
【図１】
2010096910.tif 000003
【図２】
2010096910.tif 000004
【図３】
2010096910.tif 000005
【図４】
2010096910.tif 000006
【図５】
2010096910.tif 000007
【図６】
2010096910.tif 000008
【図７】
2010096910.tif 000009